(57)【特許請求の範囲】
【請求項１】
遊技媒体を貯留する貯留部を備えたホッパー装置と、
前記貯留部に貯留された遊技媒体が一定量以上となる場合に、前記貯留部からの遊技媒体が送り込まれる補助受容箱と、
前記ホッパー装置及び前記補助受容箱が収納され筐体と、を備えた遊技機において、
前記筐体は、前記補助受容箱を引き出す際に、その下端縁を中心にして回動される回収用扉を有しており、
前記補助受容箱は、該補助受容箱の下面に、前記遊技媒体を排出する排出口を備えており、
前記回収用扉は、前記補助受容箱を引き出したときに、該補助受容箱に設けられた排出口と連通する開口部を備えたことを特徴とする遊技機。
【請求項２】
前記回収用扉は、前記開口部を遮蔽する位置と前記開口部を開放する位置との間で移動可能な扉側シャッタと、前記回収用扉の背面側に設けられ、前記扉側シャッタを前記開口部を遮蔽する位置及び前記開口部を開放する位置で保持する保持装置とを備えていることを特徴とする請求項１記載の遊技機。
【請求項３】
前記扉側シャッタは、前記回収用扉の背面から突出する操作片を有し、
前記補助受容箱は、前記排出口を遮蔽する箱側シャッタと、該箱側シャッタを前記排出口を遮蔽する方向に付勢する付勢手段とを有し、
前記箱側シャッタは、該補助受容箱を引き出したときに前記開口部を開放する位置に保持された前記扉側シャッタの操作片に当接されることで、前記補助受容箱に対する該箱側シャッタの相対位置を変化させて前記排出口を開放する突出片を備えていることを特徴とする請求項２記載の遊技機。
【請求項４】
前記補助受容箱は、その下面から突出して該補助受容箱を支持する支持片を複数備えており、
前記支持片は、前記補助受容箱の下面に対する支持片の突出量が前記突出片の突出量よりも長くなるように設けられていることを特徴とする請求項３記載の遊技機。
【発明の詳細な説明】
【技術分野】
【０００１】
本発明は、パチンコ店等の遊技場に設置して使用されるスロットマシン等の遊技機に関するものである。
【背景技術】
【０００２】
本明細書中では遊技機の１つとしてパチスロ機などのスロットマシンを例に挙げて説明しているため、遊技を行うための遊技媒体としてメダルを用いて説明するが、遊技媒体としてはパチンコ球など他の媒体も含む。
【０００３】
パチンコ店などの遊技場に設置して使用されるスロットマシンはパチスロ機と称され、メダルに一定の価値が与えられて、遊技を行って獲得したメダルを種々の景品に交換することができる。このスロットマシンは、前面が開口された収納箱と、この収納箱の前面を覆うように設けられた前面扉とからなる筐体の内部に、複数の図柄が外周面に配列されたリールや、入賞の際にメダルの払い出しを行うホッパー装置等や、これら装置を駆動制御する制御回路基板などが収納された構成からなる。
【０００４】
上述したように、ホッパー装置は遊技を行って入賞を得た場合にメダルを払い出す装置である。このホッパー装置は、入賞の際に払い出すメダルを貯留する貯留部が設けられている。この貯留部には、遊技において入賞が得られた場合にメダルの払い出しが行われるようにメダルが貯留されている。なお、遊技が開始されると、メダル投入口から直接投入されたメダルが貯留部に送り込まれるので、ホッパー装置の貯留部には、ある程度のメダルが貯留された状態で保持されている。
【０００５】
このようなホッパー装置が組み込まれたスロットマシンで遊技が行われた場合に、通常の遊技が行われる通常モードよりも入賞が得やすくなるＢＢモードやＲＢモードに移行しない場合には、ホッパー装置の貯留部には、メダル投入口から投入されるメダルによって満杯（所謂、オーバーフローとなる）ことがある。この状態で遊技が継続されると、メダル投入口から投入されるメダルが貯留箱に入りきらずに、貯留部の上部からスロットマシンの内部に溢れてしまうことになる。このような状態は、スロットマシンの故障等の原因となりやすいため、ホッパー装置の貯留部の側面にはオーバーフロー用の排出口が設けられており、このオーバーフロー用の排出口からメダルを排出させることで、ホッパー装置の貯留部が貯留されるメダルで満杯にならないようにしている。
【０００６】
オーバーフロー用の排出口から排出されるメダルは、排出口の下方に配置されたキャッシュボックス（補助受容箱）と呼ばれるオーバーフロー用の補助箱に受容されるようになっている。キャッシュボックスにおけるメダルの受容量は予め決まっているため、オーバーフロー用の排出口からメダルが排出される状態が継続されると、キャッシュボックスにもメダルが満杯となるまで貯留されることになり、結果的にスロットマシンの内部にメダルが溢れてしまう。このため、現行のスロットマシンには、例えばキャッシュボックス内に受容されるメダルの受容量が一定以上になった場合に、エラー処理が実行されるものが提供されている（特許文献１等）。このエラー処理が実行された場合には、遊技場の店員は前面扉を開け、キャッシュボックスに受容されたメダルを回収する作業を行うことになる。
【特許文献１】特開２００２−３５２１４号公報
【発明の開示】
【発明が解決しようとする課題】
【０００７】
しかしながら、このようにキャッシュボックスに受容されたメダルを回収する場合、スロットマシンの前面に設けられた前面扉を開放するため、そのスロットマシンで遊技を行っている遊技者は、一旦スロットマシンに対応して設けられた椅子から立ち上がり、島設備と島設備との間に設けられた通路に移動してもらう必要がある。また、遊技場の店員は、前面扉を開放した後にキャッシュボックスに受容されたメダルを専用の回収箱に移し替える作業を行うため、メダル回収に伴う作業に手間が掛かり、面倒であるという欠点がある。
【０００８】
本発明は、上記課題を解決するためになされたものであり、キャッシュボックスに受容されたメダルを容易に回収することができるようにした遊技機を提供することを目的とする。
【課題を解決するための手段】
【０００９】
上記目的を達成するために、本発明の遊技機は、遊技媒体を貯留する貯留部を備えたホッパー装置と、前記貯留部に貯留された遊技媒体が一定量以上となる場合に、前記貯留部からの遊技媒体が送り込まれる補助受容箱と、前記ホッパー装置及び前記補助受容箱が収納され筐体と、を備えた遊技機において、前記筐体は、前記補助受容箱を引き出す際にその下端縁を中心にして回動される回収用扉を有しており、前記補助受容箱は、該補助受容箱の下面に、前記遊技媒体を排出する排出口を備えており、前記回収用扉は、前記補助受容箱を引き出したときに、該補助受容箱に設けられた排出口と連通する開口部を備えたことを特徴とする。
【００１０】
また、前記回収用扉は、前記開口部を遮蔽する位置と前記開口部を開放する位置との間で移動可能な扉側シャッタと、前記回収用扉の背面側に設けられ、前記扉側シャッタを前記開口部を遮蔽する位置及び前記開口部を開放する位置で保持する保持装置とを備えていることを特徴とする。
【００１１】
また、前記扉側シャッタは、前記回収用扉の背面から突出する操作片を有し、前記補助受容箱は、前記排出口を遮蔽する箱側シャッタと、該箱側シャッタを前記排出口を遮蔽する方向に付勢する付勢手段とを有し、前記箱側シャッタは、該補助受容箱を引き出したときに前記開口部を開放する位置に保持された前記扉側シャッタの操作片に当接されることで、前記補助受容箱に対する該箱側シャッタの相対位置を変化させて前記排出口を開放する突出片を備えていることを特徴とする。
【００１２】
また、前記補助受容箱は、その下面から突出して該補助受容箱を支持する支持片を複数備えており、前記支持片は、前記補助受容箱の下面に対する支持片の突出量が前記突出片の突出量よりも長くなるように設けられていることを特徴とする。
【発明の効果】
【００１３】
本発明の遊技機によれば、遊技媒体を貯留する貯留部を備えたホッパー装置と、前記貯留部に貯留された遊技媒体が一定量以上となる場合に、前記貯留部からの遊技媒体が送り込まれる補助受容箱と、前記ホッパー装置及び前記補助受容箱が収納され筐体と、を備えた遊技機において、前記筐体は、前記補助受容箱を引き出す際にその下端縁を中心にして回動される回収用扉を有しており、前記補助受容箱は、該補助受容箱の下面に、前記遊技媒体を排出する排出口を備えており、前記回収用扉は、前記補助受容箱を引き出したときに、該補助受容箱に設けられた排出口と連通する開口部を備えたから、回収用扉を開いた後に排出口と開口部とを連通させた状態となるように補助受容箱を引き出すことで、補助貯留箱に受容された遊技媒体を排出口と開口部とを介して回収箱へと落下させることが可能となる。これにより、従来では補助受容箱から回収箱へと移し替える作業を行う必要があり手間がかかっていたが、本発明では、補助受容箱から回収箱へと移し替える作業を行う必要が無く、容易に遊技媒体の回収作業を行うことができる。
【００１４】
また、前記回収用扉は、前記開口部を遮蔽する位置と前記開口部を開放する位置との間で移動可能な扉側シャッタと、前記回収用扉の背面側に設けられ、前記扉側シャッタを前記開口部を遮蔽する位置及び前記開口部を開放する位置で保持する保持装置とを備えているから、メダルの回収作業を行う場合のみ扉側シャッタの位置を開口部を開放する位置に移動させることになるので、開口部を利用した不正な行為を防止することができる。
【００１５】
また、前記扉側シャッタは、前記回収用扉の背面から突出する操作片を有し、前記補助受容箱は、前記排出口を遮蔽する箱側シャッタと、該箱側シャッタを前記排出口を遮蔽する方向に付勢する付勢手段とを有し、前記箱側シャッタは、該補助受容箱を引き出したときに前記開口部を開放する位置に保持された前記扉側シャッタの操作片に当接されることで、前記補助受容箱に対する該箱側シャッタの相対位置を変化させて前記排出口を開放する突出片を備えているから、例えばメダルの回収作業の際には、扉側シャッタを、開口部を露呈する位置に保持した後に補助受容箱を引き出すだけで、補助受容箱の底面に設けられた排出口が開放されることになる。これにより、排出口から排出されるメダルが自動的に回収用扉に設けられた開口部を介して落下することになるから、遊技媒体の回収作業を容易にすることができる。
【００１６】
また、前記補助受容箱は、その下面から突出して該補助受容箱を支持する支持片を複数備えており、前記支持片は、前記補助受容箱の下面に対する支持片の突出量が前記突出片の突出量よりも長くなるように設けられているから、例えば支持片が無い場合には補助受容箱の引き出し作業をスムーズに行わせるために補助受容箱の下面から突出した突出片に合わせて筐体の内壁面を形成する、つまり、突出片が挿入される溝部を設ける必要があるが、補助受容皿の下面に支持片を設けることで、補助受容箱の引き出し作業をスムーズに行わせることができるとともに、筐体の内壁面の形状を補助受容皿に合わせて構成する必要がなくなる。
【発明を実施するための最良の形態】
【００１７】
図１に示すように、スロットマシン１０は、収納箱１１と、この収納箱１１の前面に設けられた前面扉１２とからなる筐体１３の内部に、後述する第１リール２５，第２リール２６，第３リール２７，ホッパー装置１０３（図６参照）や電源装置１０２（図６参照）等が配設された構成となっている。前面扉１２は、上部扉１４と下部扉１５との２枚の扉から構成される。上部扉１４には、その中央に装飾パネル２０が設けられ、この装飾パネル２０の略中央に表示窓２１が設けられている。この表示窓２１の奥には第１リール２５，第２リール２６，第３リール２７が配設されている。周知のように、第１リール２５、第２リール２６、第３リール２７の外周面には、例えば複数種類の図柄が複数個配列される。第１リール２５，第２リール２６，第３リール２７がそれぞれ停止すると、第１リール２５，第２リール２６，第３リール２７に配列された図柄が、１リール当たり３個、表示窓２１を介して表示される。これにより、表示窓２１を通して表示される図柄は計９個となり、第１リール２５、第２リール２６、第３リール２７の図柄を１個ずつ組み合わせた直線状の入賞ラインが横３本斜め２本の計５本が設定される。
【００１８】
表示窓２１の下方には、表示装置２８が設けられている。この表示装置２８は、例えば通常モードの遊技よりも、入賞が得やすくなるＢＢ（ビックボーナス）モードや、ＲＢ（レギュラーボーナス）モードにおける遊技数の表示を行う他に、エラーが発生した場合にエラー表示などが行われる。
【００１９】
下部扉１５の上部には、操作パネル３５が設けられている。この操作パネル３５には、遊技の開始時に操作されているＭＡＸベットボタン３６が設けられている。ＭＡＸベットボタン３６は、クレジットされたメダルのうち、使用枚数である３枚のメダルを投入する際に押圧操作される。なお、投入されたメダルとは、メダル投入口４３から直接メダルを投入するほかに、クレジットされたメダルを含む。
【００２０】
操作パネル３５には、ペイアウトボタン３７、スタートレバー３８、第１ストップボタン４０、第２ストップボタン４１、第３ストップボタン４２などが設けられている。ペイアウトボタン３７は、クレジットされたメダルを払い出す際に押圧操作されるボタンである。スタートレバー３８は、遊技を実行する際に操作される。
【００２１】
第１ストップボタン４０は、回転する第１リール２５を停止させる際に押圧操作されるボタンである。同様にして、第２ストップボタン４１、第３ストップボタン４２は、回転する第２リール２６、第３リール２７をそれぞれ停止させる際に押圧操作されるボタンである。
【００２２】
下部扉１５であって、操作パネル３５の側部には、遊技を行う際にメダルを投入するためのメダル投入口４３が設けられている。メダル投入口４３の奥にはセレクタ（図示せず）が組み込まれ、不適正なメダルはメダル払出口４４を介してメダル受け皿４５に排出される。また、セレクタは、例えば遊技の途中や各種の操作ボタンが押されたままの状態で投入された等の不適切なタイミングでメダルの投入が行われたときに、投入されたメダルをメダル受け皿４５に排出する。なお、遊技の開始に先立って投入できるメダルの枚数は１〜３枚に限られているため、クレジット機能を用いていないときには、投入された１〜３枚目までのメダルは、自動的に投入され、４枚目以降に投入されたメダルはメダル受け皿４５に排出される。
【００２３】
一方、クレジット機能がオン状態のときには４枚目以降に投入されたメダルは、セレクタに設けられたメダルセンサ（図示省略）で検知された後、例えば５０枚を限度にスロットマシン１０の内部に貯留される。なお、メダルがクレジットされているときに、メダル投入口４３からメダルを投入した場合には、投入された１〜３枚目までのメダルが自動的に投入され、４枚目以降に投入されたメダルがクレジットされる。なお、クレジットされたメダルがある場合には、前述したＭＡＸベットボタン３６の操作によりメダルの投入操作が行われ、その投入枚数がクレジット枚数から逐次に減算される。また、遊技の結果、入賞が得られたときには配当となるメダルもクレジットされ、ペイアウトボタン３７を操作したときにクレジットされているメダルがメダル受け皿４５に払い出される。
【００２４】
図２に示すように、下部扉１５であって、操作パネル３５とメダル受け皿４５との間には、スロットマシン１０のイメージとなる図柄や文字等のデザインが施された装飾パネル５０が配置される。この装飾パネル５０とメダル受け皿４５との側部となる箇所には開口５１が設けられている。この開口５１は、後述するキャッシュボックス（補助受容箱）１０４を引き出す際にキャッシュボックス１０４が挿通される引き出し口（以下、引き出し口５１）となる。この引き出し口５１は回収扉５５によって被覆されている。
【００２５】
回収扉（回収用扉）５５は、キャッシュボックス１０４に受容されたメダルを回収する際に回動される。この回収扉５５は、ヒンジ５６を介して下部扉１５に組み付けられている。ヒンジ５６は、パネル５７，５８を備えている。これらパネル５７，５８は、その短手方向の一端に、且つ長手方向に沿って筒部５７ａ，５８ａが複数同一間隔を空けて設けられており、パネル５８に設けられる筒部５８ａがパネル５７に設けられた筒部５７ａと筒部５７ａとの間に挿入された状態で、このヒンジ５６の回動軸となるピン５９が各パネルの筒部に挿入される。なお、これらパネル５７，５８のうち、パネル５７は、回収扉５５の下面５５ｄに組み付けられ、パネル５８は取り出し口５１の内壁面５１ａに組み付けられる。このようにヒンジ５６が組み付けられることで、回収扉５５は、ヒンジ５６のピン５９を回動軸として、回収扉５５は、その下端縁を中心にして回動する。この回動によって回収扉５５は、引き出し口５１を被覆する位置（図１参照）と引き出し口５１を露呈する位置（図２参照）との間で回動する。以下では、回収扉５５が引き出し口５１を被覆する位置を、閉じ位置と称する。
【００２６】
図１及び図２においては図の煩雑さを解消するために図示は省略しているが、回収扉５５の下面５５ｄにはストッパ１４６が設けられており、回収扉５５が９０°回動したときにストッパ１４６が収納箱１１の下面に当接され回収扉５５の回動が停止される（図１０参照）。このストッパ１４６によって回収扉５５が９０°回動された状態で停止されると、回収扉５５の背面５５ｂと収納箱１１の内壁面１１ｃとが略同一平面となる。なお、本実施形態では、ストッパ１４６を用いて回収扉５５の回動を停止させているが、この他に、例えばリンク機構などを用いて回収扉５５が９０°回動したときに、その回動を停止させるようにすることも可能である。
【００２７】
この回収扉５５は施錠装置（図示せず）を備えており、回収扉５５が閉じ位置にある場合に施錠装置による施錠を行うことで、回収扉５５が閉じ位置で保持される。なお、符号５９は鍵穴であり、この鍵穴５９に鍵を挿入し回転させることで、施錠装置による施錠、及び解錠を行うことができる。
【００２８】
この回収扉５５は、略直方体形状から構成され、その前面５５ａがスロットマシン１０の外観の一部となる意匠面（以下、意匠面５５ａ）となる。この意匠面５５ａの上部には、回収扉５５を回動させる際に掴まれる把手部６０（図１参照）を備えている。この意匠面５５ａの略中央であって、意匠面５５ａから、該意匠面５５ａとは反対側となる背面（裏面）５５ｂにかけて断面が正方形となる開口部６１が設けられている。この開口部６１は、後述するキャッシュボックス１０４に受容されたメダルを回収箱に回収する際に使用される。
【００２９】
図３に示すように、回収扉５５の背面５５ｂには、カバー収納部６５とシャッタ収納部６６とが、回収扉５５の背面５５ｂから意匠面５５ａに向けて、カバー収納部６５、シャッタ収納部６６の順で設けられる。このカバー収納部６５には、カバー７０が収納される。このカバー収納部６５の底面６５ａにはネジ穴６８が複数設けられている。このネジ穴６８は、カバー収納部６５の底面６５ａの短手方向の両端部に、且つ長手方向に沿って設けられている。
【００３０】
シャッタ収納部６６は、後述する扉側シャッタ８０が収納される空間である。このシャッタ収納部６６は、略方形状の空間となるように構成され、その短手方向の長さが開口部６１の一辺よりも長く、カバー収納部６５の短手方向の長さよりも短くなるように構成されている。また、シャッタ収納部６６の長手方向の長さは、カバー収納部６５の長手方向の長さよりも短くなるように構成されている。なお、このシャッタ収納部６６の長手方向の長さは、後述する扉側シャッタ８０が開口部６１を遮蔽する位置と、開口部６１を開放する位置との間で移動できる長さから構成される。なお、符号６９は、施錠装置８５，８６を固定する際にネジ８７が螺合するネジ穴である。
【００３１】
カバー７０は、平板形状から構成されている。このカバー７０の図３中左側端縁部に開口７１が設けられている。このカバー７０をカバー収納部６５に収納すると、開口７１と開口部６１とが連通する位置関係となる。また、このカバー７０の短手方向の両端部には、ネジ７２、或いはネジ７３が挿通される挿通孔７４が、その長手方向に沿って設けられている。なお、符号７５は、後述する施錠装置８５，８６を固定する際のネジ８７が螺合するネジ孔である。このカバー７０をカバー収納部６５に収納することで、シャッタ収納部６６が被覆され、扉側シャッタ８０をシャッタ収納部６６に収納した状態で保持する。
【００３２】
扉側シャッタ８０は、シャッタ本体８１と、このシャッタ本体８１から突出する操作片８２とから構成される。シャッタ本体８１は略方形状からなる平板から構成される。このシャッタ本体８１の大きさは、開口部６１の断面積よりも大きくなるように設けられている。操作片８２は、シャッタ本体８１の図３中左端縁部から上方に突出するように設けられている。この操作片８２は、略方形状から構成され、その長手方向に直交する一側面８２ａには、後述する施錠装置８５の閂、或いは施錠装置８６の閂が挿入される挿入穴８３が設けられている。
【００３３】
この扉側シャッタ８０は、操作片８２がシャッタ収納部６６の長手方向と直交するようにシャッタ収納部６６に収納される。シャッタ収納部６６の長手方向は、シャッタ本体８１における操作片８２の長手方向と直交する方向の長さよりも長く設けられている。例えば、シャッタ本体８１の先端面８１ａがシャッタ収納部６６の側面６６ａに当接されると、扉側シャッタ８０のシャッタ本体８１によって開口部６１が遮蔽される（図１０参照）。一方、扉側シャッタ８０が図１０中Ｑ方向に移動し、シャッタ本体８１の後端面８１ｂがシャッタ収納部６６の側面６６ｂに当接されると、開口部６１が開放される（図１１参照）。なお、開口部６１が遮蔽される場合の扉側シャッタ８０の位置を遮蔽位置、開口部６１が開放される場合の扉側シャッタ８０の位置を開放位置として説明する。また、扉側シャッタ８０の操作片８２は、カバー７０の開口７１に挿通される。これにより、回収扉５５の背面５５ｂから扉側シャッタ８０の操作片８２が突出するように組み込まれる。
【００３４】
図４に示すように、回収扉５５の背面５５ｂには施錠装置（保持装置）８５、８６がネジ８７を介して組み付けられる。施錠装置８５は扉側シャッタ８０を遮蔽位置に保持するために、施錠装置８６は扉側シャッタ８０を開放位置に保持するためにそれぞれ設けられる。
【００３５】
図５に示すように、施錠装置８５は、閂９０と、この閂９０を保持する保持部材９１とから構成されている。閂９０は円柱状から構成され、その周面から突出する操作部９０ａを備えている。保持部材９１は、前記閂９０が収納保持される略円筒状の保持部９１ａと、この保持部９１ａの両端側に設けられる固定部９１ｂ，９１ｃとから構成される。この保持部材９１の保持部９１ａの周面には、操作部９０ａの移動方向を規制するガイド溝９２が設けられている。このガイド溝９２は、保持部９１ａの長手方向に沿った溝９２ａと、この溝９２ａの両端から保持部９１ａの周面に沿って設けられた溝９２ｂ，９２ｃとから構成される。
【００３６】
例えば、扉側シャッタ８０が遮蔽位置にあるときに操作部９０ａがガイド溝９２の溝９２ｂに位置している場合には、閂９０の先端が扉側シャッタ８０の操作片８２の側面８２ａに設けられた挿入穴８３に挿入されている。これにより、扉側シャッタ８０が遮蔽位置に保持される。扉側シャッタ８０を開放位置へと移動させる場合には、操作部９０ａを溝９２ｂに沿って図５中Ａ方向に移動させた後、操作部９０ａを溝９２ａに沿って（図５中Ｂ方向に）移動させる。この移動により閂９０が図５中Ｂ方向に移動するので、閂９０の先端が挿入穴８３に挿入された状態が解除される。これにより、扉側シャッタ８０を遮蔽位置から開放位置まで移動させることができる。なお、操作部９０ａを図５中Ｂ方向に移動させた後、操作部９０ａを図５中Ｃ方向に、つまり溝９２ｃの内部に移動させることで、閂９０の位置を保持することが可能となる。また、施錠装置８５によって扉側シャッタ８０を遮蔽位置に保持する場合には、上述した動作とは逆の動作を行う。
【００３７】
同様にして、施錠装置８６は、閂９５と、この閂９５を保持する保持部材９６とから構成されている。閂９５は円柱状から構成され、その周面から突出する操作部９５ａを備えている。保持部材９６は、前記閂９５が収納保持される略円筒状の保持部９６ａと、この保持部９６ａの両端側に設けられる固定部９６ｂ，９６ｃとから構成される。この保持部材９６の保持部９６ａの周面には、操作部９５ａの移動方向を規制するガイド溝９７が設けられている。このガイド溝９７は、保持部９６ａの中心軸方向に沿った溝９７ａと、この溝９７ａの両端から保持部９６ａの周面に沿って設けられた溝９７ｂ，９７ｃとから構成される。なお、この施錠装置８６における施錠及び解錠の方法は、施錠装置８５と同一であるので、ここでは、その詳細を省略する。
【００３８】
図６に示すように、収納箱１１は、前面が開口された箱形状から構成されている。この収納箱１１の内部は、仕切り板１００によって、上部収納部１１ａと下部収納部１１ｂとに仕切られている。この上部収納部１１ａには、第１リール２５、第２リール２６、第３リール２７を備えたリールユニット１０１が込み込まれる。一方、下部収納部１１ａには、電源装置１０２、ホッパー装置１０３、キャッシュボックス１０４などが収納される。電源装置１０２は、スロットマシン１０に給電を行う装置である。この電源装置１０２の前面には、主電源となる電源スイッチ１０５の他に、キーシリンダ１０６、設定変更ボタン１０７、選択スイッチ１０８などが設けられている。なお、これらについては周知であるから、ここではその説明を省略する。
【００３９】
この電源装置１０２の下方には、ホッパー装置１０３が組み込まれる。このホッパー装置１０３は、上部にメダルを貯留する貯留部１１０を備えている。この貯留部１１０には、メダル投入口４３から投入されたメダルのうち、正規のメダルと判定されたメダルが送り込まれる。この貯留部１１０の側面１１０ａには、貯留部１１０に貯留されたメダルが一定量となる場合に、キャッシュボックス１０４に向けてメダルを排出する排出口１１１が設けられている。この排出口１１１を設けることで、貯留部１１０がメダルで満杯になることが防止される。なお、このホッパー装置１０３は、スロットマシン１０における遊技において入賞を得た場合に駆動し、貯留部１１０に貯留されたメダルのうち最下層にあるメダルをホッパー装置１０３の前面に設けられた払い出し口１１２から払い出す。この払い出し口１１２から払い出されたメダルは、下部扉１５に設けられたメダル払出口４４からメダル受け皿４５に払い出される。
【００４０】
キャッシュボックス１０４は、排出口１１１から排出されたメダルを受容するために設けられている。図７に示すように、キャッシュボックス１０４は、上面が開口された箱形状から構成されている。この内部の空間１１５が、貯留部１１０の側面１１０ａに設けられた排出口１１１から排出されるメダルが受容される受容部（以下、受容部１１５）となる。なお、符号１１６は、キャッシュボックス１０４を引き出すための把手部である。
【００４１】
この受容部１１５の底面１１７の中央には、キャッシュボックス１０４の下面１０４ａにかけて排出口１１８が設けられている。この排出口１１８は、方形状の開口から構成されている。この受容部１１５の底面１１７は、排出口１１８に向けて下り傾斜する傾斜面１１７ａ，１１７ｂ，１１７ｃ，１１７ｄから構成される。このように受容部１１５の底面１１７を傾斜面とすることで、受容されるメダルを排出口１１８に向けて移動させることができる。
【００４２】
このキャッシュボックス１０４の下面１０４ａであって、その四隅には、支持片１２０，１２１，１２２，１２３が下方に向けて突設されている。これら支持片１２０，１２１，１２２，１２３は、後述する移動防止片の突出量よりも長くなるように設けられている。なお、本実施形態では、キャッシュボックス１０４の下面１０４ａの四隅に支持片を設ける実施形態とするが、これに限定する必要はなく、下面の長手方向に沿った支持片を下面の短手方向の両端部に設けることも可能である。
【００４３】
図８に示すように、キャッシュボックス１０４の下面１０４ａには、カバー収納部１２５とシャッタ収納部１２６とが、下面１０４ａから受容部１１５の底面１１７に向けて、カバー収納部１２５、シャッタ収納部１２６の順で設けられている。カバー収納部１２５は、カバー１３５が収納される。このカバー収納部１２５の底面１２５ａにはネジ穴１２８が複数設けられている。これらネジ穴１２８は、カバー収納部１２５の底面１２５ａの短手方向の両端部であって、その長手方向に沿って設けられている。
【００４４】
シャッタ収納部１２６は、後述する箱側シャッタ１４０が収納される空間である。このシャッタ収納部１２６は、略方形状の空間となるように構成され、その短手方向の長さが排出口１１８の一辺よりも長く、カバー収納部１２５の短手方向の長さよりも短くなるように構成されている。また、シャッタ収納部１２６の長手方向の長さは、カバー収納部１２５の長手方向の長さよりも短くなるように構成されている。なお、このシャッタ収納部１２５の長手方向の長さは、後述する箱側シャッタ１４０が排出口１１８を遮蔽する位置と、排出口１１８を開放する位置との間で移動できる長さから構成される。
【００４５】
このシャッタ収納部１２６からキャッシュボックス１０４の側面１０４ｃに向けて、バネ収納部１２９，１３０が設けられている。これらバネ収納部１２９，１３０には、コイルバネの一端がそれぞれ収納される。
【００４６】
カバー１３５は、方形板状から構成されている。このカバー１３５の図７中右側には開口１３６が設けられている。なお、この開口１３６の位置は、カバー１３５をカバー収納部１２５に組み付けたときに排出口１１８の下方に開口１３６が位置するような位置であればよい。このカバー１３５の短手方向の両端部には、ネジ１３７が挿通される挿通孔１３８が、カバー１３５の長手方向に沿って設けられている。このカバー１３５をカバー収納部１２５に収納することで、シャッタ収納部１２６が被覆され、箱側シャッタ１４０をシャッタ収納部１２６に収納した状態で保持する。
【００４７】
箱側シャッタ１４０は、シャッタ本体１４１と、このシャッタ本体１４１から突出する移動防止片（突出片）１４２とから構成される。シャッタ本体１４１は方形板状から構成される。このシャッタ本体１４１の大きさは、排出口１１８の断面積よりも大きくなるように設けられている。移動防止片１４２は、シャッタ本体１４１から図７中上方に突出するように設けられている。この移動防止片１４２は略方形状から構成されている。この移動防止片１４２は、キャッシュボックス１０４が引き出し口５１から引き出されたときに、開放位置に保持された扉側シャッタ８０の操作片８２と当接することで、引き出されるキャッシュボックス１０４と、箱側シャッタ１４０との相対位置を変化させる、つまり、排出口１１８を遮蔽する位置から箱側シャッタ１４０を退避させる。
【００４８】
この箱側シャッタ１４０は、移動防止片１４２の長手方向がシャッタ収納部１２６の長手方向と直交するようにシャッタ収納部１２６に収納される。シャッタ収納部１２６の長手方向は、シャッタ本体１４１における移動防止片１４２の長手方向と直交する方向の長さよりも長く設けられている。例えば、シャッタ本体１４１の先端面１４１ｂがシャッタ収納部１２６の側面１２６ａに当接されると、箱側シャッタ１４０のシャッタ本体１４１によって排出口１１８が遮蔽される（図１２参照）。一方、シャッタ本体１４１の後端面１４１ａがシャッタ収納部１２６の側面１２６ｂ、１２６ｃ、１２６ｄにそれぞれ当接されると、排出口１１８が開放される。これにより、箱側シャッタ１４０は、排出口１１８を遮蔽する位置と、排出口１１８を開放する位置との間で移動することが可能となる。また、箱側シャッタ１４０の移動防止片１４２は、カバー１３５の開口１３６に挿通される。これにより、キャッシュボックス１０４の下面１０４ａから箱側シャッタ１４０の移動防止片１４２が突出するように組み込まれる。
【００４９】
コイルバネ（付勢手段）１４４は、その一端がバネ収納部１２９の側面１２９ａに、他端が箱側シャッタのシャッタ本体１４１の後端面１４１ａにそれぞれ当接されることで、箱側シャッタ１４０を排出口１１８を遮蔽する位置に向けて付勢する。同様にして、コイルバネ（付勢手段）１４５は、その一端がバネ収納部１３０の側面１３０ａに、他端が箱側シャッタ１４０のシャッタ本体１４１の後端面１４１ａにそれぞれ当接されることで、箱側シャッタ１４０を排出口１１８を遮蔽する位置に向けて付勢する。
【００５０】
次に、このようにして構成されるスロットマシン１５において、キャッシュボックス７９に受容されたメダルを回収する手順を、図９〜図１３を用いて説明する。例えばスロットマシン１０のキャッシュボックス１０４が受容されたメダルで満杯となると、図示しないオーバーフローセンサによりオーバーフローであることが検知され、スロットマシン１５がエラー状態となり、遊技の実行が中断される。これにより、遊技者は遊技場の店員を呼んで、エラー状態を解除してもらう。この場合、遊技場の店員は、回収扉５５に設けられた鍵穴５９に専用の鍵を差し込んで、施錠装置を解錠する。施錠装置を解錠した後、遊技場の店員は、回収扉５５の前面に設けられた把手部６０を掴んで手前に引っ張る。回収扉５５は、その下面５５ｄにヒンジ５６のパネル５７が組み付けられていることから、回収扉５５はヒンジ５６を中心にして、つまり回収扉５５の下端縁を中心にして、図９中Ｐ方向に回動する。これにより、引き出し口５１が露呈される。そして、回収扉５５を図９中Ｐ方向に９０°回動させると、回収扉５５の下面５５ｄに設けられたストッパ１４６が収納箱１１の下面に当接されることで回収扉５５の回動が停止される。このとき、回収扉５５の背面５５ｂと、収納箱１１の内壁面１１ｃとは同一平面上となる。
【００５１】
回収扉５５を図９中Ｐ方向に回動させた後、遊技場の店員は、施錠装置８５の解錠を行う。つまり、ガイド溝９２の溝９２ｂの内部に位置する操作部９０ａを掴んで、操作部９０ａを図５中Ａ方向に回動させた後、操作部９０ａを図５中Ｂ方向へ移動させる。この移動により閂９０の先端が、扉側シャッタ８０の操作片８２に設けられた挿入穴８３に挿入された状態が解除される。そして、操作部を図５中Ｃ方向に操作部９０ａを回動させ、閂９０を、その先端が挿入孔８３の内部から退避した状態を保持させる。
【００５２】
この状態で、扉側シャッタ８０の操作片８２を掴んで、扉側シャッタ８０を図１０中Ｑ方向にスライドさせる。そして、施錠装置８６による扉側シャッタ８０の施錠を行う。つまり、操作片９５ａを操作して閂９５の先端を扉側シャッタ８０の操作片８２に設けられた挿入穴８３に挿入させる。閂９５の先端が挿入穴８３に挿入されることで、扉側シャッタ８０が開放位置に保持されることになる。なお、扉側シャッタ８０が開放位置に保持されると、回収扉５５の開口部６１と、カバー７０の開口７１とが連通した状態となる（図１１参照）。
【００５３】
その後、遊技場の店員は、引き出し口５１に手を挿入し、キャッシュボックス１０４の把手部１１６を掴み、キャッシュボックス１０４を図１１中Ｒ方向に引き出す。このとき、回収扉５５の背面５５ｂ、収納箱１１の内壁面１１ｃが略同一平面上となることから、キャッシュボックス１０４は引っ掛かることなく、引き出し口５１から回収扉５５の背面５５ｂまで引き出すことができる。
【００５４】
図１２に示すように、キャッシュボックス１０４を引き出す過程で、キャッシュボックス１０４の下面１０４ａから突出する箱側シャッタ１４０の移動防止片１４２が、回収扉５５の背面５５ｂから突出する扉側シャッタ８０の操作片８２に当接する。なお、扉側シャッタ８０は開放位置に保持されているので、キャッシュボックス１０４が図１２中Ｒ方向に引き出されると、操作片８２に当接された移動防止片１４２の移動を防止し、移動するキャッシュボックス１０４との相対位置を変化させる。つまり、キャッシュボックス１０４は図１２中Ｒ方向に引き出されるので、引き出されるキャッシュボックス１０４を基準にすると、扉側シャッタ１４０は図１２中Ｓ方向に移動していることになる。このように箱側シャッタ１４０との相対位置が変化していき、箱側シャッタ１４０のシャッタ本体１４１の後端面１４１ａがシャッタ収納部１２６の側面１２６ｂ，１２６ｃ，１２６ｄに当接されると、キャッシュボックス１０４の移動が停止される。このとき、排出口１１８及びカバー１３５の開口１３６が連通される（図１３参照）。
【００５５】
図１３に示すように、この状態では、排出口１１８、カバー１３５の開口１３６、カバー７０の開口７１及び回収扉５５の開口部６１が同一直線状に位置する、つまり、キャッシュボックス１０４の排出口１１８と回収扉５５の開口部６１とが連通されるので、キャッシュボックス１０４の受容部１１５に受容されたメダル１５０が排出口１１８、開口部６１を介して、その下部に設けられた回収箱へと落下する。なお、受容部１１５の底面１１７は排出口１１８に向けて下り傾斜する傾斜面から構成されていることから、受容部１１５に受容されたメダル１５０は、メダルの自重によってそのまま落下していく。
【００５６】
キャッシュボックス１０４の受容部１１５に受容された全てのメダル１５０が回収箱に回収されると、遊技場の店員は、キャッシュボックス１０４を引き出し口５１から収納箱１１へ（図１３中Ｔ方向に）押し込む。
【００５７】
キャッシュボックス１０４を引き出し口５１から収納箱１１の内部へと押し込む際に、キャッシュボックス１０４と箱側シャッタ１４０との相対位置が変化する。つまり、コイルバネ１４４，１４５の一端は箱側シャッタ１４０のシャッタ本体１４１の後端面１４１ａに当接されており、その他端はバネ収納部１２９，１３０の側面１２９ａ，１３０ａに当接されている。これにより、コイルバネ１４４，１４５は箱側シャッタ１４０を、排出口１１８を遮蔽する方向に（図１２中Ｕ方向に）付勢している。これにより、キャッシュボックス１０４が図１２中Ｔ方向に押し込まれると、コイルバネ１４４，１４５の図１２中Ｕ方向への付勢力によって移動防止片１４２が操作片８２と当接されている状態が維持され続ける。つまり、押し込まれるキャッシュボックス１０４を基準にすると、箱側シャッタ１４０が、図１２中Ｖ方向へ移動していることになる。このように箱側シャッタ１４０とキャッシュボックス１０４の相対位置が変化することで、箱側シャッタ１４０が排出口１１８を遮蔽する位置へと移動する。そして、箱側シャッタ１４０のシャッタ本体１４１の先端面１４１ｂがシャッタ収納部１２６の側面１２６ａに当接されることで、排出口１１８及びカバー１３５の開口１３６との連通が解除される（図１２参照）。
【００５８】
さらに、キャッシュボックス１０４が押し込まれると、箱側シャッタ１４０の移動防止片１４２と扉側シャッタ８０の操作片８２との当接が解除され、キャッシュボックス１０４が引き出し口５１を介して収納箱１１に収納される。その後、遊技場の店員は、施錠装置８６による扉側シャッタ８０の施錠を解除して、扉側シャッタ８０の操作片８２を掴み、扉側シャッタ８０を遮蔽位置へと（図１１中Ｗ方向に）移動させる。そして、施錠装置８５による施錠を行って、扉側シャッタ８０を遮蔽位置に保持する。そして、回収扉５５を図１０中Ｘ方向に、つまり回収扉５５を閉じ位置へと回動させる。これにより、引き出し口５１が回収扉５５によって遮蔽される。この状態で施錠装置による施錠を行い、回収扉８０を閉じ状態で保持する。そして、下部扉１５の解錠を行う鍵穴に解錠キーを差し込んで、解錠を行う方向とは逆に解錠キーを回転させることでリセット処理が行われ、エラー状態が解除される。このように、回収扉５５を回動させた後に、キャッシュボックス１０４を引き出すだけで、キャッシュボックス１０４に受容されたメダルを回収することができるので、メダルの回収作業を容易にすることができる。また、回収扉５５がスロットマシン１０の下部扉１５の図１中右側下部に設けられることで、遊技者が席を立つ必要がなく、遊技者の煩わしさを抑制することができる。
【００５９】
本実施形態では、キャッシュボックス１０４の下面１０４ａから突出する移動防止片１４２よりも突出量が長い支持片１２０，１２１，１２２，１２３を設けることで、キャッシュボックス１０４の移動をスムーズに行わせるようにしているが、この他に、例えば収納箱１１の内壁面１１ｃ、回収扉５５の背面５５ｂに、例えばキャッシュボックス１０４の移動方向を規制するための溝部を、キャッシュボックス１０４の下面１０４ａに設けられる支持片１２０，１２１，１２２，１２３に合わせて設けることも可能である。これによれば、キャッシュボックスの移動方向が規制され、またキャッシュボックスの引き出し、押し込みをスムーズに、且つ容易に行うことができる。
【００６０】
なお、本実施形態では、上部扉及び下部扉の２枚の扉から前面扉を構成したスロットマシンの例を取り上げているが、これに限定する必要はなく、１枚の前面扉の場合であっても、本発明を用いることが可能である。また、本実施形態では、回収扉を下部扉に対して回動自在に組み付けた、つまり回収扉を下部扉の一部とした実施形態としているが、これに限定する必要はなく、回収扉と下部扉とを別個に収納箱に組み付けた形態としてもよい。
【００６１】
本実施形態では、スロットマシンの例を取り上げているが、これに限定する必要はなく、例えばホッパー装置の貯留部に遊技に使用する遊技媒体を貯留し、貯留された遊技媒体を用いた払い出しを行う遊技機であれば、本発明を用いることができる。
【図面の簡単な説明】
【００６２】
【図１】本発明のスロットマシンの外観を示す斜視図である。
【図２】スロットマシンに設けられる回収扉の近傍の構成を示す斜視図である。
【図３】回収扉の背面の構成を分解して示す斜視図である。
【図４】扉側シャッタを遮蔽位置と、開放位置とのそれぞれで保持する施錠装置の組み付け位置を示す斜視図である。
【図５】施錠装置近傍の構成を示す斜視図である。
【図６】収納箱の内部の構成を示す斜視図である。
【図７】キャッシュボックスの外観を示す斜視図である。
【図８】キャッシュボックスの下面の構成を分解して示す斜視図である。
【図９】回収扉が閉じ状態となる場合を示す説明図である。
【図１０】回収扉を閉じ状態から９０°回動させた状態を示す説明図である。
【図１１】扉側シャッタが開放位置に保持された状態を示す説明図である。
【図１２】扉側シャッタの操作片と、箱側シャッタの移動防止片とが当接された状態を示す説明図である。
【図１３】キャッシュボックスに受容されたメダルを回収する状態を示す説明図である。
【符号の説明】
【００６３】
１０  スロットマシン
１３  筐体
５５  回収扉（回収用扉）
６１  開口部
８０  扉側シャッタ
８２  操作片
８５，８６  施錠装置（保持装置）
１０３  ホッパー装置
１０４  キャッシュボックス（補助受容箱）
１１０  貯留部
１１８  排出口
１４０  箱側シャッタ
１４２  移動防止片（突出片）
１４４，１４５  コイルバネ（付勢手段）
１５０  メダル（遊技媒体）
【図１】
0004557913.tif 000002
【図２】
0004557913.tif 000003
【図３】
0004557913.tif 000004
【図４】
0004557913.tif 000005
【図５】
0004557913.tif 000006
【図６】
0004557913.tif 000007
【図７】
0004557913.tif 000008
【図８】
0004557913.tif 000009
【図９】
0004557913.tif 000010
【図１０】
0004557913.tif 000011
【図１１】
0004557913.tif 000012
【図１２】
0004557913.tif 000013
【図１３】
0004557913.tif 000014